(57)【要約】      （修正有）【課題】本を閉じた状態を保持することができ、かつしおり部を外れ難くすることができるブックカバーを提供する。【解決手段】本をカバーする本体部１と、前記本体部の幅方向Ｗのいずれかの端部に設けられ、前記本が閉じられた状態で前記本の間に配されるしおり部３と、前記本体部の幅方向Ｗのいずれかの端部に設けられ、前記しおり部が前記本の間に配されたまま前記本が閉じられた状態で、前記しおり部の外方において、前記本体部の幅方向Ｗの端部から別の端部へと延ばされる係止部２と、前記本体部に設けられ、前記係止部を係止する被係止部４０ａ、５０ａ、４１ａ、５１ａとを備えることを特徴とする。【選択図】図１
0003162064.tif 000002
【実用新案登録請求の範囲】
【請求項１】
本をカバーする本体部と、
前記本体部の幅方向のいずれかの端部に設けられ、前記本が閉じられた状態で前記本の間に配されるしおり部と、
前記本体部の幅方向のいずれかの端部に設けられ、前記しおり部が前記本の間に配されたまま前記本が閉じられた状態で、前記しおり部の外方において、前記本体部の幅方向の端部から別の端部へと延ばされる係止部と、
前記本体部に設けられ、前記係止部を係止する被係止部と
を備えることを特徴とするブックカバー。
【請求項２】
前記しおり部は、前記本体部の幅方向のいずれか一方の端部に設けられ、
前記係止部は、前記幅方向の他方の端部に設けられていることを特徴とする請求項１に記載のブックカバー。
【請求項３】
前記しおり部と前記係止部とは、ともに前記本体部の幅方向のいずれか一方の端部に設けられていることを特徴とする請求項１に記載のブックカバー。
【請求項４】
前記しおり部と前記係止部とは、前記幅方向の外方に向けて互いに反対方向に延ばされており、
前記しおり部は、前記本体部から折り返されて前記本の一方の先端辺を跨いで前記本の間に配されるようになっており、
前記係止部は、前記本体部から折り返されて、前記しおり部の外方において、前記本の他方の先端辺から前記一方の先端辺を跨いで、前記他方の端部から前記一方の端部へと延ばされるようになっていることを特徴とする請求項２に記載のブックカバー。
【請求項５】
前記しおり部と前記係止部とは、前記本体部の表裏側のいずれにも折り返し可能になっており、
前記被係止部は、前記本体部の表裏のいずれにも設けられていることを特徴とする請求項４に記載のブックカバー。
【請求項６】
前記しおり部、前記係止部および前記被係止部は、前記本体部において表裏対称に設けられていることを特徴とする請求項５に記載のブックカバー。
【請求項７】
前記しおり部と前記本体部とは、互いに兼用可能になっており、
前記被係止部は、前記本体部のうち、前記幅方向の一方側と他方側のいずれにも設けられていることを特徴とする請求項４から請求項６のいずれか一項に記載のブックカバー。
【請求項８】
前記しおり部、前記係止部および前記被係止部は、前記本体部において前記幅方向の中心線に対して、線対称に設けられていることを特徴とする請求項４から請求項７のいずれか一項に記載のブックカバー。
【請求項９】
前記被係止部は、
前記本体部の高さ方向に帯状に延ばされ、前記高さ方向の両端部が本体部に連結されて構成されており、さらに、前記本体部のうち、前記幅方向の一方側と他方側のいずれにも設けられるとともに、前記本体部の表裏のいずれにも設けられており、
前記幅方向の一方側と他方側のいずれにも設けられた被係止部に、前記本の表紙と裏表紙とがそれぞれ前記幅方向に通されることにより、前記本体部の表裏のいずれの側においても前記本を保持するようになっていることを特徴とする請求項５から請求項８のいずれか一項に記載のブックカバー。
【請求項１０】
前記幅方向の一方側に設けられた被係止部は、前記本体部を開いた状態で、前記一方の端部に設けられたしおり部が折り返されて前記幅方向に通されることにより、前記しおり部を係止し、
前記幅方向の他方側に設けられた被係止部は、前記本体部を開いた状態で、前記他方の端部に設けられた係止部が折り返されて前記幅方向に通されることにより、前記係止部を係止することを特徴とする請求項９に記載のブックカバー。
【請求項１１】
前記被係止部は、前記高さ方向における長さ寸法の長い長被係止部と、前記高さ方向における長さ寸法の短い短被係止部とを備えることを特徴とする請求項９または請求項１０に記載のブックカバー。
【請求項１２】
前記短被係止部は、前記長被係止部の内方側に設けられていることを特徴とする請求項１１に記載のブックカバー。
【考案の詳細な説明】
【技術分野】
【０００１】
本考案は、読みかけ途中のページがすぐ分かるように本をカバーするブックカバーに関する。
【背景技術】
【０００２】
今日では、家の中だけでなく、電車や喫茶店など、外出時にも本を読めるように、カバンの中などに本を入れて携帯する人が多くなっている。その中には、本をカバーするためにブックカバーを利用している人もいる。
従来、ブックカバーとしては、本の表面全体を覆うカバー本体と、このカバー本体に設けられたしおり片とを備えるものが知られている（例えば、特許文献１参照。）。
【先行技術文献】
【特許文献】
【０００３】
【特許文献１】登録実用新案第３１２７１２４号公報
【考案の概要】
【考案が解決しようとする課題】
【０００４】
しかしながら、上記のようなブックカバーでは、本を閉じた状態を保持することができないため本の内部が損傷してしまうおそれがあるだけでなく、しおり片が外れ易く、読みかけ途中のページが分からなくなってしまうという問題がある。
【０００５】
本考案は、このような問題を解決するためになされたもので、本を閉じた状態を保持することができ、かつしおり部を外れ難くすることができるブックカバーを提供することを目的とする。
【課題を解決するための手段】
【０００６】
上記課題を解決するために、本考案は以下の手段を提供する。
本考案は、本をカバーする本体部と、前記本体部の幅方向のいずれかの端部に設けられ、前記本が閉じられた状態で前記本の間に配されるしおり部と、前記本体部の幅方向のいずれかの端部に設けられ、前記しおり部が前記本の間に配されたまま前記本が閉じられた状態で、前記しおり部の外方において、前記本体部の幅方向の端部から別の端部へと延ばされる係止部と、前記本体部に設けられ、前記係止部を係止する被係止部とを備えることを特徴とする。
【０００７】
この考案によれば、本を閉じた状態を保持することができ、かつしおり部を外れ難くすることができる。
【０００８】
また、本考案は、前記しおり部が、前記本体部の幅方向のいずれか一方の端部に設けられ、前記係止部が、前記幅方向の他方の端部に設けられていることを特徴とする。
【０００９】
この考案によれば、しおり部と係止部とを互い違いに配することができ、操作性や使い勝手を向上させることができる。
【００１０】
また、本考案は、前記しおり部と前記係止部とが、ともに前記本体部の幅方向のいずれか一方の端部に設けられていることを特徴とする。
【００１１】
この考案によれば、全体を小型化することができる。
【００１２】
また、本考案は、前記しおり部と前記係止部とが、前記幅方向の外方に向けて互いに反対方向に延ばされており、前記しおり部が、前記本体部から折り返されて前記本の一方の先端辺を跨いで前記本の間に配されるようになっており、前記係止部が、前記本体部から折り返されて、前記しおり部の外方において、前記本の他方の先端辺から前記一方の先端辺を跨いで、前記他方の端部から前記一方の端部へと延ばされるようになっていることを特徴とする。
【００１３】
この考案によれば、しおり部を読みかけ途中のページの間に配したまま、本の一方の先端辺を跨いで他方の先端辺にわたるように係止部を折り返すだけで、係止部を容易に係止することができる。
【００１４】
また、本考案は、前記しおり部と前記係止部とが、前記本体部の表裏側のいずれにも折り返し可能になっており、前記被係止部が、前記本体部の表裏のいずれにも設けられていることを特徴とする。
【００１５】
この考案によれば、本体部の表裏側のいずれの面にも本を設置することができる。
【００１６】
また、本考案は、前記しおり部、前記係止部および前記被係止部が、前記本体部において表裏対称に設けられていることを特徴とする。
【００１７】
この考案によれば、表裏のいずれかで本を保持したり本を途中で閉じたりするときでも、表裏のいずれでも同じ操作感を実現することができ、利便性を向上させることができる。
【００１８】
また、本考案は、前記しおり部と前記本体部とが、互いに兼用可能になっており、前記被係止部が、前記本体部のうち、前記幅方向の一方側と他方側のいずれにも設けられていることを特徴とする。
【００１９】
この考案によれば、本体部の上下のいずれの向きで本を設置しても、しおり部と本体部とを、それぞれ同様に操作することができる。さらに、しおり部および係止部を、いずれもしおり用および係止用として機能させることができるため、本の読みかけ途中のページの進行度合いに合わせて、しおり部および係止部を、しおり用および係止用として切り替えて使用することができる。
【００２０】
また、本考案は、前記しおり部、前記係止部および前記被係止部が、前記本体部において前記幅方向の中心線に対して、線対称に設けられていることを特徴とする。
【００２１】
この考案によれば、本体部の上下のいずれかの向きで本を保持したり本を途中で閉じたりするときでも、しおり部と本体部とを、上下のいずれでも同じ操作感を実現することができ、利便性を向上させることができる。
【００２２】
また、本考案は、前記被係止部が、前記本体部の高さ方向に帯状に延ばされ、前記高さ方向の両端部が本体部に連結されて構成されており、さらに、前記本体部のうち、前記幅方向の一方側と他方側のいずれにも設けられるとともに、前記本体部の表裏のいずれにも設けられており、前記幅方向の一方側と他方側のいずれにも設けられた被係止部に、前記本の表紙と裏表紙とがそれぞれ前記幅方向に通されることにより、前記本体部の表裏のいずれの側においても前記本を保持するようになっていることを特徴とする。
【００２３】
この考案によれば、被係止部により本を保持することができるため、本を保持するための部材を必要とすることなく、部品点数を減少させることができる。また、係止部を、被係止部に抜き差しするという簡易な動作だけで、係止部を容易に係止することができる。また、厚さの異なる本をカバーする場合であっても、係止部の被係止部への挿入深さを変えるだけで、本の厚さの違いを容易に吸収することができる。
【００２４】
また、本考案は、前記幅方向の一方側に設けられた被係止部が、前記本体部を開いた状態で、前記一方の端部に設けられたしおり部が折り返されて前記幅方向に通されることにより、前記しおり部を係止し、前記幅方向の他方側に設けられた被係止部が、前記本体部を開いた状態で、前記他方の端部に設けられた係止部が折り返されて前記幅方向に通されることにより、前記係止部を係止することを特徴とする。
【００２５】
この考案によれば、本を読んでいるときでも、しおり部および係止部が、読書の邪魔になることを防止することができる。
【００２６】
また、本考案は、前記被係止部が、前記高さ方向における長さ寸法の長い長被係止部と、前記高さ方向における長さ寸法の短い短被係止部とを備えることを特徴とする。
【００２７】
この考案によれば、サイズの異なる本であっても適切に保持することができる。
【００２８】
また、本考案は、前記短被係止部が、前記長被係止部の内方側に設けられていることを特徴とする。
【００２９】
この考案によれば、スペース効率を向上させることができるだけでなく、シンプルなデザイン性を向上させることができる。
【考案の効果】
【００３０】
本考案によれば、本を閉じた状態を保持することができ、かつしおり部を外れ難くすることができる。
【図面の簡単な説明】
【００３１】
【図１】本考案の実施形態におけるブックカバーの表面側を示す平面図である。
【図２】図１のブックカバーの裏面側を示す平面図である。
【図３】図１のブックカバーに本が設置された様子を示す説明図である。
【図４】図３のしおり部および係止部が折り返されて係止された様子を示す説明図である。
【図５】図３のしおり部が折り返されて、本の読みかけ途中ページに配された様子を示す説明図である。
【図６】図５の本体部が中心線から折りたたまれて、しおり部を挟んだまま本が閉じられた様子を示す説明図である。
【図７】図６の係止部が折り返されて、被係止部に係止された様子を示す説明図である。
【図８】図７のＡ−Ａ線矢視断面図である。
【図９】本体部の一方の主面側に、サイズの小さな本が設置された様子を示す説明図である。
【図１０】本考案の変形例を示す平面図である。
【考案を実施するための最良の形態】
【００３２】
以下、本考案の実施形態におけるブックカバーについて、図面を参照して説明する。
図１は、本考案の実施形態としてのブックカバー１００を示したものである。
ブックカバー１００は、長方形状の本体部１を備えている。本体部１は、本Ｂ（図３に示す）の表紙および裏表紙をカバーするものである。本体部１の幅方向Ｗの中心部において、高さ方向Ｈに延びる線が、中心線ＷＯとなる。そして、本体部１のうち、中心線ＷＯに対して、幅方向Ｗの一方側が本体一方半部１０となり、幅方向Ｗの他方側が本体他方半部１１となる。
【００３３】
本体部１の幅方向Ｗにおける一方の端部には、しおり部３が設けられている。しおり部３は、幅方向Ｗの外方に進むに従って、高さ方向Ｈにおける高さ寸法が漸次小さくなるように、テーパー部３１が形成されている。つまり、しおり部３は、幅方向Ｗの外方に進むに従って、先細りになるように構成されている。なお、符号３ａは、しおり部３の一方の主面を示し、符号３ｂ（図２に示す）は、しおり部３の他方の主面を示している。
また、本体部１の幅方向Ｗにおける他方の端部には、係止部２が設けられている。係止部２は、幅方向Ｗの外方に進むに従って、高さ方向Ｈにおける高さ寸法が漸次小さくなるように、テーパー部２１が形成されている。つまり、係止部２は、幅方向Ｗの外方に進むに従って、先細りになるように構成されている。なお、符号２ａは、係止部２の一方の主面を示し、符号２ｂ（図２に示す）は、係止部２の他方の主面を示している。
【００３４】
これら本体部１、しおり部３および係止部２は、例えば、革、布、樹脂などの可撓性材料からなり、一体に形成されている。これらしおり部３および係止部２は、本体部１から幅方向Ｗに向けて互いに外方（反対方向）に延ばされている。
また、しおり部３および係止部２は、本体部１の表裏のいずれにも折り返すことができるようになっている。さらに、しおり部３および係止部２は、互いに同形状・同寸法に形成されている。すなわち、しおり部３および係止部２は、高さ方向Ｈにおいて同じ位置に配置されている。
【００３５】
また、本体部１の一方の主面１ａには、複数の長被係止部４０ａ，４１ａが設けられている。
長被係止部４０ａ，４１ａのうち、本体一方半部１０に設けられた方が長被係止部４０ａとなり、本体他方半部１１に設けられた方が長被係止部４１ａとなる。これら長被係止部４０ａ，４１ａは、高さ方向Ｈに延ばされて帯状に形成されており、その長さ方向（高さ方向Ｈ）の両端部が縫い付けられることにより、一方の主面１ａに取り付けられている。また、長被係止部４０ａ，４１ａは、それぞれ同一形状・同一寸法に形成されており、中心線ＷＯから同一距離離れた位置に設けられている。
【００３６】
さらに、本体部１の一方の主面１ａには、複数の短被係止部５０ａ，５１ａが設けられている。
短被係止部５０ａ，５１ａのうち、本体一方半部１０に設けられた方が短被係止部５０ａとなり、本体他方半部１１に設けられた方が短被係止部５１ａとなる。これら短被係止部５０ａ，５１ａは、高さ方向Ｈに延ばされて帯状に形成されており、その長さ方向（高さ方向Ｈ）の両端部が縫い付けられることにより、一方の主面１ａに取り付けられている。また、短被係止部５０ａ，５１ａは、それぞれ同一形状・同一寸法に形成されており、中心線ＷＯから同一距離離れた位置に設けられている。
【００３７】
これら長被係止部４０ａ，４１ａおよび短被係止部５０ａ，５１ａは、本Ｂの表紙または裏表紙が幅方向Ｗに挿入されることにより、本Ｂを保持するようになっている。
また、長被係止部４０ａ，４１ａは、短被係止部５０ａ，５１ａよりも、高さ方向Ｈにおける高さ寸法、および、幅方向Ｗにおける幅寸法が、大きくなっている。さらに、短被係止部５０ａ，５１ａは、長被係止部４０ａ，４１ａの内方側に配されている。すなわち、短被係止部５０ａ，５１ａは、長被係止部４０ａ，４１ａによって、覆われた状態になっている。
また、短被係止部５０ａ，５１ａは、長被係止部４０ａ，４１ａの内方側において、長被係止部４０ａ，４１ａの高さ方向Ｈの中心に揃えられている。
これら長被係止部４０ａ，４１ａおよび短被係止部５０ａ，５１ａは、例えば、革、布、樹脂などの可撓性材料からなっている。
さらに、長被係止部４０ａ，４１ａ、短被係止部５０ａ，５１ａ、しおり部３および係止部２は、中心線ＷＯから本体部１を折り曲げたときに、それぞれが重なる位置・形状に設定されている。すなわち、長被係止部４０ａ，４１ａ、短被係止部５０ａ，５１ａ、しおり部３および係止部２は、中心線ＷＯに対して、線対称に配置されている。
【００３８】
さらに、図２に示すように、本体部１の他方の主面１ｂにも、同様にして、長被係止部４０ｂ，４１ｂおよび短被係止部５０ｂ，５１ｂが設けられている。そして、しおり部３、係止部２、長被係止部４０ｂ，４１ｂおよび短被係止部５０ｂ，５１ｂは、中心線ＷＯに対して線対称に配置されている。すなわち、しおり部３、係止部２、長被係止部４０ｂ，４１ｂおよび短被係止部５０ｂ，５１ｂは、本体部１の表裏で対称に配置されている。
【００３９】
このような構成のもと、しおり部３および係止部２は、折り返されることにより、幅方向Ｗに隣り合う長被係止部４０ａ，４１ａ，４０ｂ，４１ｂまたは短被係止部５０ａ，５１ａ，５０ｂ，５１ｂに、幅方向Ｗに挿入することができるようになっている。一例を挙げると、しおり部３は、折り返されることにより、長被係止部４０ａに幅方向Ｗに挿入することができるようになっている。
また、係止部２は、折り返されることにより、しおり部３の外方領域を通って、長被係止部４０ａ，４０ｂおよび短被係止部５０ａ，５０ｂに、幅方向Ｗに挿入することができるようになっている。一例を挙げると、係止部２は、一方の主面１ａ側に折り返され、しおり部３の外方領域を通って、他方の主面１ｂに設けられた長被係止部４０ｂに幅方向Ｗに挿入されるようになっている。
【００４０】
なお、外方領域とは、本体部１を中心線ＷＯから一方の主面１ａ（または他方の主面１ｂ）側に折り返したときに、しおり部３の他方の主面３ｂ（一方の主面３ａ）側の空間をいうものである。
また、しおり部３および係止部２は、互いに兼用することができるようになっている。すなわち、しおり部３および係止部２は、しおり機能と係止機能とのいずれも果たすことができるようになっている。
【００４１】
次に、このように構成された本実施形態におけるブックカバー１００の使い方について説明する。
例えば、新書判（１０３×１８２ｍｍ）の本Ｂにブックカバー１００を取り付けるものとする。
まず、図３に示すように、本体部１の一方の主面１ａ側に本Ｂを設置する。すなわち、本Ｂの背表紙Ｂ３を中心線ＷＯに沿わせた状態で、表紙Ｂ１を長被係止部４１ａに幅方向Ｗに通す。そして、裏表紙Ｂ２を長被係止部４０ａに幅方向Ｗに通す。これにより、本Ｂが、長被係止部４０ａ，４１ａによって保持される。
この状態から、本Ｂを読む場合には、図４に示すように、裏表紙Ｂ２を巻き込むようにして、しおり部３を幅方向Ｗの内方側に折り返す。そして、しおり部３を長被係止部４０ａに挿入することにより、しおり部３が長被係止部４０ａによって係止される。
さらに、係止部２も、同様に、折り返して長被係止部４１ａに挿入することにより、係止部２が係止される。なお、しおり部３および係止部２には、テーパー部３１，２１が設けられ、先細り形状になっているため、長被係止部４０ａ，４１ａへの挿入をスムーズに行うことができる。
このように、しおり部３および係止部２が係止された状態で、読者は、表紙Ｂ１および裏表紙Ｂ２をブックカバー１００ごと把持しながら、本Ｂを読むことができる。このとき、しおり部３および係止部２が、長被係止部４０ａ，４１ａに係止されていることから、把持しやすくなり、しおり部３および係止部２が読書の妨げになることを防止することができる。もちろん、しおり部３および係止部２を折り返すだけで、長被係止部４０ａ，４１ａに挿入しない状態で読書してもよい。
【００４２】
次いで、本Ｂを途中で終える場合について説明する。
まずは、しおり部３を長被係止部４０ａから抜き出す。そして、図５に示すように、読みかけ途中のページを巻き込むようにして、しおり部３を折り返す。さらに、しおり部３を読みかけ途中のページの間に配したまま、図６に示すように、本体部１ごと本Ｂを閉じる。これにより、しおり部３は、本Ｂの一方の先端辺Ｂ４を巻き込んだまま、読みかけ途中のページの間に配された状態になる。
なお、一方の先端辺Ｂ４とは、図８に示すように、読みかけ途中ページから裏表紙Ｂ２側のページのうち、背表紙Ｂ３と対向する長辺部をいうものとする。また、読みかけ途中ページから表紙Ｂ１側のページのうち、背表紙Ｂ３と対向する長辺部を、他方の先端辺Ｂ５というものとする。
なお、図８においては、長被係止部４０ａ，４１ａ，４０ｂ，４１ｂおよび短被係止部５０ａ，５１ａ，５０ｂ，５１ｂを省略している。
【００４３】
さらに、係止部２を長被係止部４１ａから抜き出す。そして、図７に示すように、係止部２を、しおり部３の上から折り返す。すなわち、係止部２は、図８に示すように、本体部１の他方の端部から、一方の先端辺Ｂ５を介して、しおり部３の他方の主面３ｂの外方領域に延在しながら、他方の先端辺Ｂ４を跨って、本体部１の他方の端部を超えて、他方の主面１ｂへと延ばされる。
そして、係止部２を長被係止部４０ｂに挿入する。これにより、係止部２が係止され、しおり部３が係止部２によって覆われたまま、本体部１が閉じられた状態が保持される。
【００４４】
なお、上記においては、新書判の本Ｂについて説明したが、図９に示すように、文庫本のようなＡ６判（１０５×１４８ｍｍ）の本ＢＳを設置する場合には、以下のようにして行う。
本ＢＳは、本Ｂよりも小さなサイズなので、長被係止部４０ａ，４１ａを利用すると、高さ方向Ｈにおけるクリアランスが大きくなりすぎてしまい、本ＢＳを適正に保持することができない。そこで、表紙ＢＳ１を短被係止部５１ａに挿入し、裏表紙ＢＳ２を短被係止部５０ａに挿入する。短被係止部５０ａ，５１ａの高さ寸法は、長被係止部４０ａ，４１ａの高さ寸法より小さくなっているので、本ＢＳは、短被係止部５０ａ，５１ａにより、適正に保持される。
なお、読書するとき、および閉じるときは、上記と同様の使い方であるので、ここでの説明は省略する。
【００４５】
以上より、本実施形態におけるブックカバー１００によれば、しおり部３の外方領域から係止部２を係止することができることから、本を閉じた状態を保持することができるだけでなく、しおり部３を外れ難くすることができる。すなわち、係止部２によってしおり部３を覆うことができることから、しおり部３が読みかけ途中のページから外されることを防止することができる。
また、しおり部３および係止部２が、本体部１の幅方向Ｗの両端部のそれぞれに設けられていることから、しおり部３と係止部２とを互い違いに折り返すことができ、使い勝手を向上させることができる。
また、しおり部３および係止部２が、幅方向Ｗの外方に延ばされていることから、本Ｂの一方の先端辺Ｂ５および他方の先端辺Ｂ４を巻き込むようにして係止部２を折り返すだけで、しおり部３を読みかけ途中のページの間に配したまま、係止部２を容易に係止することができる。
【００４６】
また、しおり部３および係止部２が、本体部１の表裏側のいずれにも折り返すことができ、長被係止部４０ａ，４１ａが、本体部１の表裏のいずれにも設けられていることから、ブックカバー１００をリバーシブルに使うことができる。すなわち、本実施形態では、本体部１の一方の主面１ａ側に本Ｂを配する場合について説明しているが、他方の主面１ｂ側に本Ｂを保持させることもできる。なお、その場合のブックカバー１００の使い方は、本実施形態と表裏が逆になっている点以外は同様であるので、ここでの説明は省略する。
また、しおり部３、係止部２、長被係止部４０ａ，４１ａ，４０ｂ，４１ｂおよび短被係止部５０ａ，５１ａ，５０ｂ，５１ｂが、本体部１において表裏対称に設けられていることから、表裏のいずれかに本Ｂを保持させたり本Ｂを途中で閉じたりするときでも、表裏のいずれでも同じ操作感を実現することができ、利便性を向上させることができる。さらに、製造コストを抑制することができるだけでなく、デザイン性を向上させることができる。
【００４７】
また、しおり部３および係止部２が、互いに兼用可能になっており、長被係止部４０ａ，４１ａ，４０ｂ，４１ｂおよび短被係止部５０ａ，５１ａ，５０ｂ，５１ｂが、本体一方半部１０および本体他方半部１１に設けられていることから、本体部１の上下のいずれにおいても、同様に操作することができる。すなわち、本体部１の上下を意識することなく、本Ｂにブックカバー１００を容易に取り付けることができる。さらに、しおり部３および係止部２を、いずれもしおり用および係止用として機能させることができるため、本Ｂの読みかけ途中のページの進行度合いに合わせて、しおり部３および係止部２を、しおり用および係止用として切り替えて使用することができる。
【００４８】
また、しおり部３、係止部２、長被係止部４０ａ，４１ａ，４０ｂ，４１ｂおよび短被係止部５０ａ，５１ａ，５０ｂ，５１ｂが、中心線ＷＯに対して線対称に配置されていることから、本体部１の上下のいずれかの向きで本Ｂを保持させたり本Ｂを途中で閉じたりするときでも、上下のいずれでも同じ操作感を実現することができ、利便性を向上させることができる。また、しおり部３および係止部２を切り替えて使用するときでも、操作感を同じにすることができる。さらに、製造コストを抑制することができるだけでなく、デザイン性を向上させることができる。
【００４９】
また、係止部２を、長被係止部４０ａ，４１ａ，４０ｂ，４１ｂおよび短被係止部５０ａ，５１ａ，５０ｂ，５１ｂに抜き差しするという簡易な動作だけで、係止部２を容易に係止することができる。また、厚さの異なる本をカバーする場合であっても、係止部２の長被係止部４０ａ，４１ａへの挿入深さを変えるだけで、本の厚さの違いを容易に吸収することができる。
また、長被係止部４０ａ，４１ａ，４０ｂ，４１ｂおよび短被係止部５０ａ，５１ａ，５０ｂ，５１ｂが設けられていることから、サイズの異なる本Ｂ，ＢＳを適切に保持することができる。
また、短被係止部５０ａ，５１ａ，５０ｂ，５１ｂが長被係止部４０ａ，４１ａ，４０ｂ，４１ｂの内方側に配されていることから、スペース効率を向上させることができるだけでなく、シンプルなデザイン性を向上させることができる。
【００５０】
なお、本考案の技術範囲は上記の実施形態に限定されるものではなく、本考案の趣旨を逸脱しない範囲において、種々の変更を加えることが可能である。
例えば、図１０に示すようなブックカバー７００としてもよい。すなわち、本体部７の本体一方半部７０には、長被係止部７０ａと短被係止部８０ａが設けられている。また、本体部７の本体他方半部７１には、長被係止部７１ａと短被係止部８１ａが設けられている。なお、本体部７の一方の主面７００ａ側だけでなく、他方の主面７００ｂ側にも、同一・同形状の長被係止部および短被係止部が同様にして設けられている。さらに、本体部７の一方の端部に、しおり部７３と係止部７２が設けられている。しおり部７３および係止部７２は、幅方向Ｗの外方に延ばされており、ともに表裏の側に折り返すことができるようになっている。
このような構成のもと、上記と同様にして、本Ｂを設置して、読みかけ途中のページで終わらせるときには、しおり部７３を折り返して読みかけ途中ページに挟む。そして、しおり部７３の外方領域から係止部７３を巻き返して、他方の主面７００ｂの長被係止部に挿入する。これにより、しおり部７３を覆うようにして、係止部７２を係止することができる。
【００５１】
なお、本体部１，７は、板状のものにしているが、これに限ることはなく、例えば網状または紐状などでもよい。
また、しおり部３，７３、係止部２，７２の形状も、適宜変更可能である。例えば、網状または紐状などでもよい。
また、本体部１，７、しおり部３，７３および係止部２，７２は、一体でなくても、それぞれ別々のパーツとしてもよい。
【００５２】
また、しおり部３，７３および係止部２，７２が、幅方向Ｗの外方に延在するものとしているが、これに限ることはなく、幅方向Ｗの内方に向けて取り付けるようにしてもよい。
また、しおり部３，７３および係止部２，７２が、本体部１，７の表裏のいずれにも折り返し可能とし、リバーシブルに使うことができるとしているが、これに限ることはなく、一方の主面１ａ，７００ａのみに本が設置できるようにしてもよい。
また、しおり部３，７３、係止部２，７２、長被係止部４０ａ，４１ａ，４０ｂ，４１ｂ，７０ａ，７１ａおよび短被係止部５０ａ，５１ａ，５０ｂ，５１ｂ，８０ａ，８１ａが、表裏対称に設けられているとしたが、これに限ることはなく、表裏非対称にしてもよい。
【００５３】
また、しおり部３，７３および係止部２，７２が、互いに兼用可能しているが、これに限ることはなく、いずれか一方でしか使用できないものであってもよい。
また、しおり部３，７３、係止部２，７２、長被係止部４０ａ，４１ａ，４０ｂ，４１ｂ，７０ａ，７１ａおよび短被係止部５０ａ，５１ａ，５０ｂ，５１ｂ，８０ａ，８１ａが、中心線ＷＯに対して線対称に設けられているとしたが、これに限ることはなく、中心線ＷＯに対して非対称にしてもよい。
また、長被係止部４０ａ，４１ａ，４０ｂ，４１ｂ，７０ａ，７１ａおよび短被係止部５０ａ，５１ａ，５０ｂ，５１ｂ，８０ａ，８１ａの２種類のサイズを設けるとしたが、これに限ることはなく、１種類または３種類以上のサイズに対応させるように被係止部の設置数とサイズを変更することができる。
また、短被係止部５０ａ，５１ａ，５０ｂ，５１ｂ，８０ａ，８１ａが、長被係止部４０ａ，４１ａ，４０ｂ，４１ｂ，７０ａ，７１ａの内方側に設けられるとしたが、これに限ることはなく、短被係止部５０ａ，５１ａ，５０ｂ，５１ｂ，８０ａ，８１ａを幅方向Ｗにずらして露出させるようにしてもよい。
また、短被係止部５０ａ，５１ａ，５０ｂ，５１ｂ，８０ａ，８１ａが、本体部１，７に取り付けられるとしたが、これに限ることはなく、短被係止部５０ａ，５１ａ，５０ｂ，５１ｂ，８０ａ，８１ａが、長被係止部４０ａ，４１ａ，４０ｂ，４１ｂ，７０ａ，７１ａの内方面に取り付けられるようにしてもよいし、長被係止部４０ａ，４１ａ，４０ｂ，４１ｂ，７０ａ，７１ａの外方面に露出させた状態で取り付けられるようにしてもよい。
【符号の説明】
【００５４】
１００，７００  ブックカバー
１，７  本体部
２，７２  係止部
３．７３  しおり部
４０ａ，４１ａ，４０ｂ，４１ｂ，７０ａ，７１ａ  長係止部
５０ａ，５１ａ，５０ｂ，５１ｂ，８０ａ，８１ａ  短被係止部
Ｂ，ＢＳ  本
Ｂ４  他方の先端辺
Ｂ５  一方の先端辺
Ｗ  幅方向
ＷＯ  中心線
【図１】
0003162064.tif 000003
【図２】
0003162064.tif 000004
【図３】
0003162064.tif 000005
【図４】
0003162064.tif 000006
【図５】
0003162064.tif 000007
【図６】
0003162064.tif 000008
【図７】
0003162064.tif 000009
【図８】
0003162064.tif 000010
【図９】
0003162064.tif 000011
【図１０】
0003162064.tif 000012